(57)【要約】【課題】馬の血行を促進させることで新陳代謝を促すと共に治癒効果を高め、疲労回復やケガの予防、ケガの治療の促進を図る。【解決手段】本発明の馬用血行促進装置３は、馬の経皮表面に付着させる吸収材６４、６５に炭酸ガスを吸収させるために、炭酸ガスを供給する供給装置６０とを有することを特徴とする。【選択図】図８
2009268396.tif 000002
【特許請求の範囲】
【請求項１】
馬の経皮表面に付着させる吸収材に炭酸ガスを吸収させるために、炭酸ガスを供給する供給装置を有することを特徴とする馬用血行促進装置。
【請求項２】
前記吸収材は、泡状のムースであり、
前記供給装置は、気泡状の炭酸ガスを前記ムースに含ませて供給することを特徴とする請求項１に記載の馬用血行促進装置。
【請求項３】
馬の経皮表面の少なくとも一部を包囲する包囲体を更に有し、
前記包囲体のうち経皮表面に対向する部位には、前記供給装置から供給されるムースを充填させる充填部を有することを特徴とする請求項２に記載の馬用血行促進装置。
【請求項４】
前記充填部は、前記ムースを経皮表面側に透過できる材質で構成されたムース収容部であることを特徴とする請求項３に記載の馬用血行促進装置。
【請求項５】
馬の経皮表面の少なくとも一部を包囲する包囲体を更に有し、
前記供給装置は、前記包囲体内に炭酸ガスを供給することを特徴とする請求項１に記載の馬用血行促進装置。
【請求項６】
前記包囲体は、供給された炭酸ガスを外部に排出しないように密閉構造を有していることを特徴とする請求項５に記載の馬用血行促進装置。
【請求項７】
前記供給装置は、炭酸ガスと共に前記吸収材を供給することを特徴とする請求項５又は６に記載の馬用血行促進装置。
【請求項８】
前記包囲体に供給された炭酸ガスを一時的に保管するリバースタンクを更に有することを特徴とする請求項５乃至７の何れか１項に記載の馬用血行促進装置。
【請求項９】
前記供給装置が供給する炭酸ガスに対して、炭酸ガスの濃度を調整する濃度調整装置を更に有することを特徴とする請求項５乃至８の何れか１項に記載の馬用血行促進装置。
【請求項１０】
前記包囲体及び馬を格納する格納庫を更に有し、
前記格納庫は、密閉構造を有していることを特徴とする請求項５乃至９の何れか１項に記載の馬用血行促進装置。
【請求項１１】
前記包囲体は、馬の経皮表面のうち、全身、肩、背中、腰、前脚及び後脚の何れかを包囲することを特徴とする請求項３乃至１０の何れか１項に記載の馬用血行促進装置。
【請求項１２】
馬の経皮表面に吸収材を吹き付ける吹付装置と、
炭酸ガスが充填され、前記吸収材が付着された馬の部位の少なくとも一部が入り込む隔離空間とを有することを特徴とする馬用血行促進施設。
【請求項１３】
前記隔離空間は、スロープを介して床面に対して凹状に形成されていることを特徴とする請求項１２に記載の馬用血行促進施設。
【請求項１４】
馬の経皮表面に吸収材を付着させる工程と、
前記付着させた吸収材に炭酸ガスを吸収させる工程と、
前記炭酸ガスを吸収させた吸収材を介して炭酸ガスを馬の体内に吸収させる工程とを有することを特徴とする馬用血行促進方法。
【請求項１５】
馬の経皮表面に包囲体を包囲する工程と、
前記包囲体内に炭酸ガスを供給する工程とを更に有することを特徴とする請求項１４に記載の馬用血行促進方法。
【請求項１６】
前記包囲体内に供給された炭酸ガスを加圧する工程を更に有することを特徴とする請求項１５に記載の馬用血行促進方法。
【請求項１７】
前記包囲体内に供給する炭酸ガスに対して、炭酸ガスの濃度を調整する工程を更に有することを特徴とする請求項１５又は１６に記載の馬用血行促進方法。
【請求項１８】
馬の経皮表面の少なくとも一部を包囲する包囲体であって、
内部に炭酸ガスが供給される供給空間を有し、
経皮表面と接触する接合部に密着性を有し、前記内部に供給された炭酸ガスに加えられる圧力に対して耐久性を有する材質により構成されていることを特徴とする包囲体。
【発明の詳細な説明】
【技術分野】
【０００１】
本発明は、馬の血行を促進する馬用血行促進装置、馬用血行促進施設、馬用血行促進方法及び包囲体に関するものである。なお、本発明は馬の免疫力を増強させる馬用免疫力増強装置としても使用することができる。
【背景技術】
【０００２】
競争馬や乗用馬等は生涯で多数のレースに出走する。また、出走するレースで上位の成績を収めるためにトレーニング装置を用いたトレーニングが行われている（例えば、特許文献１参照）。
【０００３】
【特許文献１】特開平０７−２８９１０８号公報
【発明の開示】
【発明が解決しようとする課題】
【０００４】
しかしながら、このような過酷な環境では競争馬や乗用馬等の疲労が蓄積し、ケガを引き起こす要因になってしまう。例えば、屈腱が炎症を起こして腫れあがる屈腱炎（エビハラともいう）という病気が知られている。この屈腱炎は、長期間の運動負荷による脚の酷使が原因といわれ、多数の競走馬が発症している。さらには、競走馬の骨折率は、出走延べ頭数の略１パーセントにまで達しているというデータも報告されている。
【０００５】
したがって、このような過酷な環境におかれる競争馬や乗用馬等に対して早期に疲労回復を行うことによるケガの予防は、非常に有益である。また、ケガをした競争馬や乗用馬等に対しては、治療の促進を図ることで早期に競走馬や乗用馬等として復帰することが望まれる。
本発明は上述したような問題点に鑑みてなされたものであり、馬の血行を促進させることで新陳代謝を促すと共に治癒効果を高め、疲労回復やケガの予防、ケガの治療の促進を図ることを目的とする。
【課題を解決するための手段】
【０００６】
本発明の馬用血行促進装置は、馬の経皮表面に付着させる吸収材に炭酸ガスを吸収させるために、炭酸ガスを供給する供給装置を有することを特徴とする。
また、本発明の馬用血行促進施設は、馬の経皮表面に吸収材を吹き付ける吹付装置と、炭酸ガスが充填され、前記吸収材が付着された馬の部位の少なくとも一部が入り込む隔離空間とを有することを特徴とする。
また、本発明の馬用血行促進方法は、馬の経皮表面に吸収材を付着させる工程と、前記付着させた吸収材に炭酸ガスを吸収させる工程と、前記炭酸ガスを吸収させた吸収材を介して炭酸ガスを馬の体内に吸収させる工程とを有することを特徴とする。
また、本発明の包囲体は、馬の経皮表面の少なくとも一部を包囲する包囲体であって、内部に炭酸ガスが供給される供給空間を有し、経皮表面と接触する接合部に密着性を有し、前記内部に供給された炭酸ガスに加えられる圧力に対して耐久性を有する材質により構成されていることを特徴とする。
【発明の効果】
【０００７】
本発明によれば、馬の血行を促進させることで新陳代謝を促すと共に治癒効果を高め、疲労回復やケガの予防、ケガの治療の促進を図ることができる。
【発明を実施するための最良の形態】
【０００８】
以下、図面を参照して、本発明の実施形態に係る馬用血行促進装置の構成について説明する。なお、炭酸ガスとして二酸化炭素を例にして説明する。
（第１の実施形態）
第１の実施形態は、馬の経皮表面に付着させる吸収材として泡状のムースを直接、塗布して用いる場合の実施形態である。
【０００９】
図１は、第１の実施形態に係る血行促進装置の構成の一例を示す図である。第１の実施形態に係る血行促進装置は、供給装置を含んで構成されている。図１に示す供給装置は、二酸化炭素を気泡状にしてムースを生成するムース生成装置（スプレーガン）１０である。
ムース生成装置１０は、容器体１１と、噴射口１２と、取手部１３と、噴射スイッチ１４と、差込口１５とを含んで構成されている。容器体１１には、馬の経皮表面に付着させる吸収材として、発泡性ジェルが収容されている。ここで、吸収材としての発泡性ジェルは、泡の生成に適した成分を含み二酸化炭素を溶融させることができる液体である。なお、吸収材にＤＤＳ（Ｄｒｕｇ  Ｄｅｌｉｖｅｒｙ  Ｓｙｓｔｅｍ）効果があるナノ化された薬剤等（以下、ナノ化薬剤等という）を混合させてもよい。
【００１０】
差込口１５には、図１に示すように、カートリッジ１６又はボンベ１７のノズルが接続できるように構成されている。ここで、カートリッジ１６は、二酸化炭素が圧縮されて収容されているものである。また、ボンベ１７は、二酸化炭素が高圧縮されて液化状態で収容されているものである。ボンベ１７には、減圧器、目盛部、コック部等が設けられていて、所望の圧力に減圧して気体状の二酸化炭素を放出することができる。
使用者はカートリッジ１６又はボンベ１７のノズルを差込口１５に装着させた後、取手部１３に設けられた噴射スイッチ１４を押下することで、ムース生成装置１０が発泡性ジェルを発泡させ、気泡状の二酸化炭素を含んだムース２０を生成し、生成したムース２０を噴射口１２から噴射する。噴射されたムースのうち、気泡が二酸化炭素であり、それ以外は吸収材である。
【００１１】
次に、馬の経皮表面にムースを直接、塗布する方法について図２を参照して説明する。ここでは、馬の経皮表面として馬の前脚１の経皮表面を例にして説明する。
使用者は、図２に示すようにムース生成装置１０の噴射口１２を馬の前脚１に近接させた状態で、噴射スイッチ１４を押下することで、ムースを前脚１の経皮表面に塗布することができる。また、使用者は、塗布したムースを前脚１の経皮表面の全体を覆うようにしてムースの形状を整える。なお、使用者は、一度ムースを自身の手に噴射させた後、馬の経皮表面に直接、塗布してもよい。また、使用者はムースを直接、馬体に噴射させることで、簡単に塗布することができる。
【００１２】
次に、経皮表面に塗布したムースに含まれる気泡状の二酸化炭素の作用について図３を参照して説明する。図３は、ムースを塗布した馬の前脚の断面を示す図である。図３（ａ）は、ムースを塗布した直後の状態を示す図である。図３（ａ）に示すように、ムース２０中には多数の気泡状の二酸化炭素１８が満遍なく含まれている。なお、気泡状の二酸化炭素１８はムース２０内で包囲された状態であるために、ムース２０内から外部に逃げることがない。
【００１３】
馬の経皮表面に付着されたムース２０内では、二酸化炭素１８が徐々に吸収材に溶融していく。二酸化炭素が溶融した吸収材は、馬の経皮表面から体内に吸収される。したがって、吸収材を介して二酸化炭素を体内に吸収させることができる。なお、二酸化炭素を体内に吸収させることで、二酸化炭素は体内の組織を通して血液中の赤血球内に入り込み、赤血球内において化学反応が生じ、赤血球は酸素を放出する。赤血球から放出された酸素が、体内の細胞に行き渡ることで、各細胞は活性化する。各細胞が、活性化すことで、血管が拡張したり、血行が促進されたり、血圧が低下したりする等の効果をもたらすことができる。二酸化炭素を体内に吸収させることにより生じる効果を以下では、血行促進等効果という。
【００１４】
次に、時間が経過することにより、経皮表面近くに位置するムース２０は、経皮温度によって温められることで徐々に液化する。したがって、経皮表面近くで液化した吸収材は、重力にしたがって下方に垂れることにより、図３（ｂ）に示すように塗布されたムース２０が少なくなってくる。しかしながら、図３（ｂ）に示すムース２０は、経皮表面近くに位置するムースが消滅し、それに伴い外側に位置していたムース２０が経皮表面側に移動してきたものである。ここで、外側に位置していたムース２０にも満遍なく気泡状の二酸化炭素が含まれていることから、図３（ｂ）に示すようにムース２０が少なくなったとしても、図３（ａ）に示す状態と同様に、新鮮な二酸化炭素を吸収材に溶融させることができる。
【００１５】
ここで、ムース生成装置１０が生成するムース２０は、発泡性ジェルの成分を変化させることによりムース形状を維持させておく時間を調整することができる。例えば、粘性を有する材質を混合させた発泡性ジェルにすることで、例えば１２時間後であってもムース形状を維持させることができる。
なお、上述した実施形態では、馬の前脚１にムースを塗布する場合についてのみ説明したが、この場合に限られることはない。例えば、図４に示すように、前脚の他、肩、背中、腰、後脚にムース２０を塗布してもよい。
【００１６】
このように、第１の実施形態によれば、気泡状の二酸化炭素をムースに含ませて馬の経皮表面に塗布することにより、吸収材を介して二酸化炭素を体内に吸収させることができる。ムースを吸収材として用いることで、ムースを塗布した後、ムースは自然に消滅するので、二酸化炭素を体内に吸収させる使用勝手を向上させることができる。
【００１７】
（第２の実施形態）
第２の実施形態は、泡状のムースを充填させた包囲体を、馬の経皮表面の一部に包囲する場合の実施形態である。
図５は、第２の実施形態に係る血行促進装置の構成の一例を示す図である。第２の実施形態に係る血行促進装置２は、ムース生成装置１０と包囲体３０とを含んで構成されている。
図５（ａ）に示す包囲体３０は、馬の前脚又は後脚に巻き付けて前脚又は後脚を包囲することができるように形成されている。包囲体３０は、包囲材３１と、透過部材３２と、充填部３３と、係止部材３４（３４ａ、３４ｂ）とを有している。包囲材３１は、馬の前脚又は後脚を包囲できるような形状で、例えば柔軟性を有するポリ塩化ビニルやナイロン、合成樹脂、布、ゴム、クロロプレーンラバー等で形成されている。包囲材３１は、ムースを外部に透過しない材質であることが好ましい。
【００１８】
包囲材３１の内周面には、メッシュ状の透過部材３２が包囲材３１の略全面に亘って取り付けられている。透過部材３２と包囲材３１との間には、ムースを充填できるポケット状の充填部３３がムース収容部として複数、形成されている。充填部３３に充填されたムースは、メッシュ状の透過部材３２を透過することができる。包囲材３１の外周面には、係止部材３４（３４ａ、３４ｂ）が設けられている。係止部材３４（３４ａ、３４ｂ）は、いわゆる面ファスナーであり、包囲材３１の一方の係止部材３４ａと対向する他方の係止部材３４ｂとの一対で構成されている。
【００１９】
次に、泡状のムースを充填させた包囲体３０を、馬の経皮表面の一部に包囲する方法について図５（ａ）及び図５（ｂ）を参照して説明する。
まず、使用者は、図５（ａ）に示すようにムース生成装置１０の噴射口１２をポケット状の充填部３３に向けた状態で、噴射スイッチ１４を押下し、充填部３３にムースを充填させる。使用者は、全ての充填部３３にムースを満遍なく充填させた後、図５（ｂ）に示すように包囲体３０の内周面を馬の前脚１の経皮表面に対向させるようにして巻き付ける。このとき、使用者は、包囲体３０に設けられた一方の係止部材３４ａを他方の係止部材３４ｂに係止させる。このように包囲体３０を馬の前脚１に巻き付けて、包囲することにより、メッシュ状の透過部材３２から透過したムースが馬の前脚１の経皮表面の全体に亘って付着する。
【００２０】
その後、第１の実施形態で説明したように、馬の経皮表面に付着されたムース内では、二酸化炭素が徐々に吸収材に溶融していく。二酸化炭素が溶融した吸収材は、馬の経皮表面から体内に吸収される。したがって、吸収材を介して二酸化炭素を体内に吸収させることができ、血行促進等効果をもたらすことができる。
【００２１】
なお、上述した第２の実施形態の説明では、馬の前脚１を包囲する包囲体についてのみ説明したが、この場合に限られない。図６（ａ）では、肩用包囲体３６及び腰用包囲体３７の一例を示す。肩用包囲体３６は、肩の上部から肩全体を覆うようにして巻き付けることで包囲するものである。肩用包囲体３６には、首の根元及び腹部を掛け渡すようにして係止する面ファスナー等の係止部材３４が設けられている。また、腰用包囲体３７は、腰の上部から腰全体を覆うようにして巻きつけることで包囲するものである。腰用包囲体３７には、腹部及び後脚の根元を掛け渡すようにして係止する面ファスナー等の係止部材３４が設けられている。
【００２２】
図６（ｂ）では、馬着型包囲体３８の一例を示す。馬着型包囲体３８は、肩、背中、腰及び腹等を包囲するものである。馬着型包囲体３８には、首の根元、腹部及び臀部を掛け渡すようにして係止する面ファスナー等の係止部材３４が設けられている。
これら肩用包囲体３６、腰用包囲体３７及び馬着型包囲体３８の内周面には、上述した包囲体３０と同様にムースが充填されていることから、馬の肩、腰及び全身を通し、吸収材を介して二酸化炭素を体内に吸収させることができる。このように、馬の部位に合わせた包囲体にすることで、馬の疲労箇所の疲労度や症状の進行度合に応じて包囲体を使い分けることができる。
【００２３】
なお、上述した第２の実施形態の説明では、透過部材３２と包囲材３１との間でポケット状に形成した充填部３３についてのみ説明したが、この場合に限られない。図７は、他の形態の充填部を有する包囲体の一例を示す図である。なお、図５において上述した包囲体３０と同様な構成については同一符号を付して説明を省略する。
包囲体４０は、包囲材３１と、充填部４１と、係止部材３４（３４ａ、３４ｂ）とを有している。充填部４１は、ムースとの間で摩擦が生じやすく、重力で垂れないような、例えば布等の材質で形成されている。使用者は、図７に示すようにムースを充填部４１上に直接、充填させた後、包囲体４０の内周面を馬の前脚１の経皮表面に対向させるようにして巻き付ける。このように、包囲体４０を馬の前脚１に巻き付けて、包囲することにより、充填部４１上に直接、充填したムースが馬の前脚１の経皮表面の全体に亘って付着する。
【００２４】
また、上述した説明では、馬の各部位に合わせて形成された包囲体を用いる場合について説明したが、この場合に限られない。例えば、サポータ、布、不織布等の上にムースを充填し、充填した側を馬の経皮表面に対向させるようにして巻きつけるようにしてもよい。
【００２５】
このように、第２の実施形態によれば、気泡状の二酸化炭素を含ませたムースを包囲体に充填させ、ムースを充填させた包囲体を馬の経皮表面に巻き付けた。したがって、充填したムースを馬の経皮表面に付着させることができるので、ムースを介して二酸化炭素を体内に吸収させることができる。このとき、ムースは包囲体によって覆われた状態であり、馬によってムースが拭い取られることがないため、確実に二酸化炭素を体内に吸収させることができる。
【００２６】
（第３の実施形態）
第３の実施形態は、包囲体で馬の経皮表面の少なくとも一部を密閉状態で包囲した後、包囲体内に二酸化炭素を供給する場合の実施形態である。
図８は、第３の実施形態に係る血行促進装置の構成の一例を示す図である。第３の実施形態に係る血行促進装置３は、包囲体５０と供給装置６０とを含んで構成されている。
図８（ａ）に示す包囲体５０は、馬の前脚１又は後脚に巻き付けて包囲するように形成されている。包囲体５０は、包囲材５１と、接合部５２と、吸入口５３と、係止部５４（５４ａ、５４ｂ）とを有している。
【００２７】
包囲材５１は、シート状であり、例えば材質をクロロプレーンラバーにして形成されている。クロロプレーンラバーは、伸縮性、密着性、柔軟性、耐久性及び密閉性がある。なお、包囲材５１は、クロロプレーンラバーに限られず、クロロプレーンラバーに似た材質であるラテックス、柔らかいウレタン、エチレン酢酸ビニル、ポリ塩化ビニル、シリコンラバー等を用いてもよい。
【００２８】
接合部５２は、馬の経皮表面と接触する部分であり、包囲材５１の内周面であって、包囲材５１の外縁に沿って設けられている。接合部５２は、柔軟性及び密閉性がある材質によって形成されている。また、接合部５２は、後述する図９（ａ）に示すように断面が矩形状であって、内部が中空状に形成されている。このように、中空状に形成することにより、馬の前脚１の経皮表面の形状に倣って変形し易い上、経皮表面への圧迫を防止することができる。包囲体５０を前脚１の経皮表面の少なくとも一部に巻き付けるようにして包囲することで、包囲材５１と接合部５２と経皮表面とによって囲まれる空間が、二酸化炭素を供給する供給空間として形成される。
【００２９】
吸入口５３は、上述した供給空間と挿通する孔を有し、孔を通して二酸化炭素を供給空間に供給することができる。吸入口５３は、供給空間に供給された二酸化炭素が逆流しないように、逆止弁になっている。
係止部５４は、包囲材５１の一方の係止部５４ａと、他方の係止部５４ｂとにより構成されている。図８に示す包囲体５０には、一対の係止部５４が６つ設けられている。
【００３０】
また、図８（ａ）に示す供給装置６０は、包囲体５０によって形成された供給空間に二酸化炭素を供給する。供給装置６０は、容器体６１と、減圧器６２とを有している。容器体６１は、いわゆるハンディボンベであり、二酸化炭素が非常に高圧縮された状態で収容されている。減圧器６２は、容器体６１に高圧縮された二酸化炭素を減圧させて、放出させるものである。使用者は、減圧器６２により所望する圧力及び流量に調整した上、減圧器６２の栓を開口することで、容器体６１に収容された二酸化炭素を減圧器６２に接続したチューブの吹き出し口６３から放出させることができる。
【００３１】
次に、包囲体を馬の経皮表面の一部に包囲する方法及び二酸化炭素の供給方法について図８（ａ）及び図８（ｂ）を参照して説明する。
まず、使用者は、図８（ａ）に示すように、馬の前脚１のうち包囲体５０を取り付ける経皮表面に吸収材６４を塗布する。ここで、吸収材６４は、二酸化炭素を溶融させることができる液体（媒体）であり、例えば、水、アルコール類、油脂類等である。また、経皮表面に塗布させたときに、塗布した吸収材６４が塗布した位置に留まり易くするように増粘剤が含まれていることが好ましい。また、吸収材６４は、経皮表面の影響を少なくするためにＰＨ４．０〜６．５の弱酸性とし、経皮表面の保湿と保護のためにグリセリンやワセリンが添加されていてもよい。使用者は、吸収材６４を経皮表面に生えている毛の上から塗布して、経皮表面にまで浸透させる。特に、吸収材６４は、経皮表面から体内に吸収しやすいナノ化された水等のナノ化された吸収材であることが好ましい。
さらに、使用者は、図８（ａ）に示すように、経皮表面のうち包囲体５０の接合部５２と接する部分には、増粘剤をより含ませた中粘度又は高粘度のジェル状の吸収材６５を塗布する。このとき、使用者は、吸収材６５を上述した吸収材６４より厚めに塗布することが好ましい。特に、馬の前脚１の経皮表面には凹みがあり、その凹みには厚く塗布する。
【００３２】
次に、使用者は、図８（ｂ）に示すように、包囲体５０の内周面を馬の前脚１の経皮表面に対向させるようにして巻き付ける。使用者は、包囲体５０に設けられた一方の係止部５４ａを他方の係止部５４ｂに係止する。このとき、馬の経皮表面と接合部５２との間には、粘度が高い吸収材６５を塗布されていることから、包囲体５０の接合部５２と経皮表面との間から気体が漏洩することを防止できる。また、粘度が高い吸収材６５を塗布することで、馬が動いて包囲体５０がズレたとしても、その密着性は保たれる。このように、包囲体５０を馬の前脚１の経皮表面に取り付けることで、供給空間内を密閉構造にすることができる。
【００３３】
次に、使用者は、供給装置６０の吹き出し口６３を包囲体５０の吸入口５３に接続した状態で、供給装置６０から二酸化炭素を放出させる。ここで、使用者は必要があれば、減圧器６２により所望の二酸化炭素の圧力及び流量に調整する。使用者は、しばらく供給装置６０から二酸化炭素を放出させることにより、供給空間に二酸化炭素を満遍なく充填させることができる。
さらに、使用者は、継続して二酸化炭素を放出させると、供給空間に供給された二酸化炭素は、継続して供給された二酸化炭素により圧縮される。圧縮された二酸化炭素は、包囲体５０を膨張させる。なお、包囲体５０に二酸化炭素を供給した後、使用者は、供給装置６０を包囲体５０の外周面に設けられた収容部５５に収容しておく。
【００３４】
ここで、供給空間に二酸化炭素を供給する前と供給した後との包囲体５０について、図９を参照して説明する。図９は、馬の前脚１のうち包囲体５０により包囲された部分の断面を示す図である。図９（ａ）は、供給空間に二酸化炭素を供給する前の状態を示す図である。図９（ａ）に示すように、馬の前脚１は先端が細く後方にいくにしたがい太くなる形状である。また、図９（ａ）に示すように、係止部５４に近接する接合部５２は、対向する接合部５２同士を重合させた上、係止部５４ａに係止部５４ｂを係止させることで、供給空間の密閉性が保持されている。
図９（ｂ）は、供給空間に二酸化炭素を供給した後の状態を示す図である。図９（ｂ）に示すように、圧縮された二酸化炭素は、包囲体５０の内周面を押圧していることから、包囲体５０は膨張する。同様に、圧縮された二酸化炭素は、馬の経皮表面に対しても押圧する。
【００３５】
ここで、供給空間に充填されて、加圧された二酸化炭素は、馬の経皮表面に付着した吸収材６４、６５に効率よく、多量に溶融する。二酸化炭素が多量に溶融した吸収材６４、６５が体内に吸収されることで、より多くの二酸化炭素を体内に吸収させることができる。また、経皮表面に付着した吸収材６４、６５は供給空間内で加圧された二酸化炭素によって経皮表面に押し付けられる。従って、この押し付ける力が吸収材６４、６５と経皮表面とを密着させるので、さらに経皮表面から二酸化炭素を吸収させる効率を向上させることができる。このように、吸収材を介して二酸化炭素を体内に吸収させることができ、血行促進等効果をもたらすことができる。
【００３６】
なお、上述した第３の実施形態の説明では、包囲体５０の接合部５２として内部を中空とする矩形状のものを用いる場合についてのみ説明したが、この場合に限られない。図１０は、他の包囲体の一例を示す図である。なお、図１０に示す包囲体は、係止部を省略して図示している。
図１０（ａ）に示す包囲体７０の接合部７１（７１ａ、７１ｂ、７１ａ´、７１ｂ´）は、包囲材５１の内周面であって、外縁に沿って二重に設けられている。図１０（ａ）では、接合部７１及び包囲材５１の一部を切断にした状態で図示している。ここで、接合部７１ａと接合部７１ａ´とは同一の接合部であり、接合部７１ｂと接合部７１ｂ´とは同一の接合部である。また、接合部７１は、中空の円筒状に形成されている。
【００３７】
使用者が、前脚１を包囲するために上述した図９（ａ）に示すように接合部を重合するとき、図１０（ａ）に示す包囲体７０では、接合部７１ａと接合部７１ｂとの間に、対向する側の接合部７１ａ´又は７１ｂ´を嵌め合わせて重合した上、係止部で係止する。このように、接合部７１を構成することで、接合部７１が何重にも重合されることから、供給空間で加圧された二酸化炭素により押圧されたとして、二酸化炭素の漏洩を防止することができる。
【００３８】
図１０（ｂ）に示す包囲体７２の接合部７３は、馬の前脚１の経皮表面に合致した立体的な形状を有して形成されている。すなわち、接合部７３は、先端７３ａが細く後方部７３ｂでは太くなる形状である。このように、接合部７３を構成することで、馬の前脚１と密着することから、供給空間で加圧された二酸化炭素により押圧されたとして、二酸化炭素の漏洩を防止することができる。
【００３９】
図１０（ｃ）に示す包囲体７４の接合部７５は、気体が充填された風船が包囲材５１の内周面であって、外縁に沿って設けられている。風船で形成された接合部７５は、変形自在であることから、馬の前脚１の経皮表面の形状に合わせて自由に変形する。また、風船で形成された接合部７５は気体を透過しないことから、供給空間で加圧された二酸化炭素により押圧されたとして、二酸化炭素の漏洩を防止することができる。
【００４０】
なお、上述した第３の実施形態の説明では、馬の前脚１を包囲する包囲体についてのみ説明したが、この場合に限られない。図１１（ａ）では、肩用包囲体８０の一例を示す。肩用包囲体８０は、肩の上部から肩全体を覆うようにして巻き付けることで包囲するものである。包囲体８０は、包囲材８１と、接合部８２と、吸入口８３と、係止部材８４（８４ａ、８４ｂ）とを有している。
【００４１】
包囲材８１は、シート状で肩全体を覆うことができる大きさに形成されている。また、接合部８２は、包囲材８１の内周面であって、包囲材８１の外縁に沿って設けられている。包囲材８１を肩全体に巻き付けるようにして包囲することで、包囲材８１と接合部８２と経皮表面とによって囲まれる空間が、二酸化炭素を供給する供給空間として形成される。吸入口８３は、上述した供給空間と挿通する孔を有し、孔を通して二酸化炭素を供給空間に供給することができる。係止部材８４は、包囲材８１の一方の係止部材８４ａと、他方の係止部材８４ｂとにより構成されている。
【００４２】
包囲体８０を馬の経皮表面の一部に包囲する場合、使用者は、馬の肩の経皮表面に吸収材を塗布する。また、使用者は、経皮表面のうち包囲体８０の接合部８２と接する部分には、増粘剤をより含ませた中粘度又は高粘度のジェル状の吸収材を塗布する。次に、使用者は、図８（ｂ）に示すように、包囲体８０の内周面を馬の肩の経皮表面に対向させるようにして巻き付ける。使用者は、包囲体８０に設けられた一方の係止部材８４ａを他方の係止部材８４ｂに係止することにより、供給空間内を密閉構造にすることができる。なお、ここでは、肩用包囲体８０についてのみ説明したが、第２の実施形態に説明したように、腰用包囲体や馬着型包囲体を用いて二酸化炭素を体内に吸収させるようにしてもよい。
【００４３】
なお、上述した第３の実施形態の説明では、包囲体を馬の経皮表面に巻き付けることにより包囲する包囲体についてのみ説明したが、この場合に限られない。また、吸収材を塗布させることにより経皮表面に吸収材を付着させる場合について説明したが、この場合に限られない。次に、馬の経皮表面の少なくとも一部を被せるようにすることで包囲する包囲体について図１２を参照して説明する。また、二酸化炭素と吸収材とを混合して包囲体内に供給する場合について説明する。
【００４４】
図１２に示す包囲体９０は、包囲材９１と、吸入口９３と、係止部材９４とを有している。包囲材９１は、馬の前脚１又は後脚を被せることができるような袋状であり、包囲体９０内は二酸化炭素が供給される供給空間が形成される。包囲材９１の材質には、例えばクロロプレーンラバー等が用いられる。また、包囲材９１には、前脚１又は後脚を挿入することができる挿入口９２が形成されている。
【００４５】
吸入口９３は、上述した供給空間と挿通する孔を有し、孔を通して二酸化炭素を供給空間に供給することができる。
係止部材９４は、例えば段階的又は無段階で係止する位置を可変することができるベルトである。係止部材９４により、供給空間で圧縮された二酸化炭素による包囲材９１の膨張を抑えたり、挿入口９２から二酸化炭素が外部に漏洩するのを防止したりする。
【００４６】
次に、図１２に示す供給装置６０には、ミスト生成装置９５が設けられている。ミスト生成装置９５は、液体の吸収材からミスト、好ましくはナノ化されたミスト（ナノミスト）を生成する。ここで、吸収材は、上述したように二酸化炭素を溶融させることができる液体（媒体）であり、例えば、水、アルコール類、油脂類等である。また、ミスト生成装置９５には、生成したミストを供給装置６０の減圧器６２から放出される二酸化炭素と共に吹き出し口６３から放出させるために、接続チューブが供給装置６０の減圧器６２の先端側に接続されている。したがって、供給装置６０から放出される二酸化炭素は、ミスト生成装置９５の接続箇所から吹き出し口６３に到達するまでに、ミスト状の吸収材と混合される。したがって、供給装置６０の吹き出し口６３からは、二酸化炭素とミスト状の吸収材とが混合された状態で放出される。なお、接続箇所から吹き出し口６３に到達するまでの間に、二酸化炭素は、ある程度ミスト状の吸収材に溶融した状態になっている。なお、ミスト生成装置９５では、ミスト状の吸収材にＤＤＳ効果があるナノ化薬剤等を混合させてもよい。また、ミスト生成装置９５は、最初からナノ化された水等のナノ化された吸収材を噴霧するようにしてもよい。
【００４７】
次に、前脚１に被せた包囲体９０の内部に供給装置６０によって二酸化炭素とミスト状の吸収材とを供給する方法について説明する。まず、使用者は、図１２に示すように、包囲体９０の吸入口９３と供給装置６０の吹き出し口６３とを接続する。使用者は、減圧器６２で所望する圧力及び流量に調整して減圧器６２の栓を開口すると共に、ミスト生成装置９５を駆動してミスト状の吸収材を生成させる。すると、供給装置６０の吹き出し口６３から、二酸化炭素及びミスト状の吸収材を放出させることができる。供給装置６０の吹き出し口６３を介して、包囲体９０の吸入口９３から供給された二酸化炭素とミスト状の吸収材とは、馬の前脚１の周りに形成された供給空間に満遍なく充填される。このとき、充填されたミスト状の吸収材は、馬の前脚１の経皮表面と接することで、経皮表面に付着し液体の吸収材に変化する。ここで、ミストとしてナノミストを用いる場合、ミストの粒子は非常に細かいことから、経皮表面に生える毛を通過して経皮表面に容易に到達することができる。このように、二酸化炭素が溶融した吸収材が、馬の経皮表面に付着することで、吸収材を介して二酸化炭素を体内に吸収させることができる。なお、ミスト状の吸収材にナノ化薬剤等が混合されている場合、吸収材と共にナノ化薬剤等が体内に吸収されるので、治療したい患部に効率よく到達する。
【００４８】
使用者は、継続して二酸化炭素とミスト状の吸収材とを放出させると、供給空間に供給された二酸化炭素とミスト状の吸収材とは、継続して供給された二酸化炭素とミスト状の吸収材により圧縮される。加圧された二酸化炭素は、馬の前脚１の経皮表面に付着された吸収材に効率よく、多量に溶融する。二酸化炭素が多量に溶融した吸収材が体内に吸収されることで、より多くの二酸化炭素を体内に吸収させることができる。また、経皮表面に付着した吸収材は供給空間内で加圧された二酸化炭素によって経皮表面に押し付けられる。従って、この押し付ける力が吸収材と経皮表面とを密着させるので、さらに経皮表面から二酸化炭素を吸収させる効率を向上させることができる。
【００４９】
このように、第３の実施形態によれば、密閉構造に形成された供給空間に二酸化炭素を充填させた。したがって、二酸化炭素が包囲体から漏洩することがないので、確実に二酸化炭素を体内に吸収させることができる。
【００５０】
（第４の実施形態）
第４の実施形態は、包囲体で馬の経皮表面の全身を密閉状態に包囲した後、包囲体内に二酸化炭素を供給する場合の実施形態であり、包囲体内に供給された二酸化炭素を、ある程度加圧することができる。
図１３は、第４の実施形態に係る血行促進装置の構成の一例を示す図である。第３の実施形態に係る血行促進装置４は、包囲体１００と供給装置１１０とを含んで構成されている。なお、血行促進装置４は、例えば所定の施設に固定されて設置されている。
【００５１】
包囲体１００は、包囲函１０１と、包囲材１０２と、接合部１０３と、係止部材１０４（１０４ａ〜１０４ｄ）と、吸入口１０５とを有している。
包囲函１０１は、馬の回りを取り囲むように前後左右の４面によって形成されたボックスである。包囲函１０１の４面は、気体を透過しない材質により形成されている。また、包囲函１０１の４面のうち背面は、馬が包囲函１０１内に入り込めるように、例えば上下に開閉することができる扉になっている。なお、包囲函１０１の４面の内周面は、包囲函１０１に入り込んだ馬が包囲函１０１に接触してケガをしないように軟質材が張り付けられている。また、包囲函１０１の外周面には、係止部材１０４（１０４ａ〜１０４ｄ）を係止するフック１０７が複数、設けられている。
【００５２】
包囲材１０２は、馬の肩、背中及び腰を包囲できる形状で、気体を透過せず耐候性に優れた材質、例えばクロロスルホン化ポリエチレン（ハイパロン）等により形成されている。包囲材１０２の一部には、馬の頭部を挿入することができる挿入口が形成されている。挿入口の開口縁部には、馬の経皮表面と接触する接合部１０３が設けられている。接合部１０３の材質には、例えばクロロプレーンラバーが用いられる。ここで、包囲材１０２の挿入口から馬の頭部を突出させ、包囲材１０２により包囲函１０１の４面の外周面を覆って包囲することで、包囲函１０１と包囲材１０２とによって囲まれる空間が、二酸化炭素を供給する供給空間として形成される。
【００５３】
係止部材１０４ａ〜１０４ｄは、包囲材１０２により包囲函１０１の４面の外周面を覆ったときに、供給空間に供給された二酸化炭素が包囲材１０２と包囲函１０１との間から漏洩しないように包囲材１０２を包囲函１０１に係止するものである。係止部材１０４ａ〜１０４ｄは、伸縮できる例えばゴム等によって形成されている。係止部材１０４ａ〜１０４ｄは、包囲函１０１のフック１０７から伸長させて包囲函１０１の４面の上端にそれぞれ掛け渡すようにすることで包囲材１０２を包囲函１０１に係止する。
吸入口１０５は、上述した供給空間と挿通する孔を有し、孔を通して二酸化炭素を供給空間に供給することができる。
【００５４】
次に、図１３には、包囲函１０１によって形成された供給空間に二酸化炭素を供給する供給装置１１０が示されている。供給装置１１０は、二酸化炭素供給装置１１１と、空気供給装置１１２と、濃度調整装置１１３とを含んで構成されている。二酸化炭素供給装置１１１は、二酸化炭素が高圧縮されて収容された容器体と、減圧器と、目盛部と、コック部とが設けられていて、減圧した気体状の二酸化炭素を放出する。
空気供給装置１１２は、空気が高圧縮されて収容された容器体と、減圧器と、目盛部と、コック部とが設けられていて、減圧した空気を放出する。
【００５５】
濃度調整装置１１３は、包囲体１００に供給する二酸化炭素の濃度を調整するものである。濃度調整装置１１３により二酸化炭素の濃度を調整するのは、馬の体の部位又は馬の固体差によって、二酸化炭素を吸収する速度や量が異なってくるためであり、馬の体の部位又は個体差に応じた二酸化炭素の濃度にすることにより、個体差に応じた血圧促進等効果を引き出すことができる。
【００５６】
図１４は、濃度調整装置の構成の一例を示す図である。
図１４に示すように、濃度調整装置１１３には、二酸化炭素供給装置１１１から二酸化炭素が供給されると共に、空気供給装置１１２から空気が供給される。濃度調整装置１１３は、二酸化炭素が供給される経路１１４及び空気が供給される経路１２４と、圧力調整部１１５、１２５と、チェックバルブ１１６、１２６と、フローメータ１１７、１２７と、流量調整部１１８、１２８と、混合器１１９と、吐出バルブ１２０と有している。なお、流量調整部１１８、１２８と、混合器１１９とにより切換器１２１を構成している。
【００５７】
圧力調整部１１５、１２５では、二酸化炭素供給装置１１１及び空気供給装置１１２から流入された二酸化炭素及び空気の圧力を調整する。ここでは、使用者は圧力調整部１１５、１２５のそれぞれにおいて、二酸化炭素及び空気の圧力が等しくなるように調整する。次に、チェックバルブ１１６、１２６では、流入された二酸化炭素及び空気の逆流を防止する。次に、フローメータ１１７、１２７では、流入された二酸化炭素及び空気の流量を使用者が確認することができる。次に、流量調整部１１８、１２８は、二酸化炭素及び空気の流量を変更して二酸化炭素の濃度を調整する。次に、混合器１１９では、流量調整部１１８、１２８において流量が変更された二酸化炭素及び空気を混合して、濃度が調整された二酸化炭素を生成する。最後に、吐出バルブ１２０において、バルブが開放されることで濃度調整された二酸化炭素を吐出する。濃度調整装置１１３の吐出バルブ１２０の先には吹き出し口が設けられ、包囲体１００の吸入口１０５に接続されている。したがって、濃度調整装置１１３により濃度調整された二酸化炭素は、包囲体１００内に供給される。
【００５８】
なお、使用者は、流量調整部１１８、１２８それぞれにおいて、二酸化炭素及び空気の流量を変更して二酸化炭素の濃度を調整する場合に限られず、流量調整部１１８、１２８と、混合器１１９とで構成される切換器１２１により、二酸化炭素の濃度を調整してもよい。具体的には、使用者が、切換器１２１に連結されている操作摘みを回転操作等行うことにより、例えば段階的に二酸化炭素の濃度を２５、５０、７５パーセント等に調整したり、無段階的に二酸化炭素の濃度を調整したりすることできる。ここで、無段階に調整するように構成する場合、二酸化炭素の濃度を略１０００ｐｐｍ〜略９５パーセントに調整できるように構成する。なお、圧力調整部１１５、１２５とチェックバルブ１１６、１２６との順番、チェックバルブ１１６、１２６とフローメータ１１７、１２７との順番等を入れ替えて濃度調整装置１１３を構成してもよい。なお、濃度調整装置１１３にＰＣ（パソコン）を接続して、パソコンから濃度調整するように構成してもよい。
【００５９】
次に、包囲体を馬の経皮表面の一部に包囲する方法及び二酸化炭素の供給方法について説明する。
まず、使用者は、馬の全身の経皮表面に吸収材を塗布する。ここで、吸収材は、二酸化炭素を溶融させることができる液体（媒体）であり、例えば、水、アルコール類、油脂類等である。また、使用者は、図１３に示すように、経皮表面のうち包囲材１０２の接合部１０３と接する部分には、増粘剤をより含ませた中粘度又は高粘度のジェル状の吸収材６５を塗布する。このとき、使用者は、吸収材６５をより厚めに塗布することが好ましい。このように、粘度が高い吸収材６５を塗布することにより、馬の経皮表面と接合部１０３との間から気体が漏洩することを防止することができる。なお、吸収材は、ナノ化された水等、ナノ化された吸収材にすると経皮表面から体内に吸収されやすい。
【００６０】
次に、使用者は、包囲材１０２の内周面を馬の経皮表面に対向させ、包囲材１０２により馬を覆う。使用者は、包囲材１０２の挿入口から馬の頭部を突出させ、包囲函１０１に収容する。次に、使用者は、係止部材１０４ａ〜１０４ｄを用いて、包囲材１０２を包囲函１０１に係止して、包囲函１０１と包囲材１０２とにより囲まれる供給空間を形成する。次に、使用者は、供給装置１１０の吹き出し口を包囲体１００の吸入口１０５に接続した状態で、任意の二酸化炭素の濃度になるように濃度調整装置１１３を調整して二酸化炭素供給装置１１１及び空気供給装置１１２のコックを解放する。
【００６１】
すると、供給装置１１０の吹き出し口を介して、包囲体１００の吸入口１０５から濃度調整された二酸化炭素が、供給空間に満遍なく充填される。使用者は、継続して二酸化炭素を放出することにより、供給空間に供給された二酸化炭素は、継続して供給された二酸化炭素により圧縮される。なお、包囲材１０２は、加圧された二酸化炭素によって膨張するものの、気体を透過しない材質であると共に、包囲材１０２は係止部材１０４により係止されていることから、ある程度の圧力で包囲体１００内を加圧しても、供給空間内の二酸化炭素は漏洩することはない。
【００６２】
加圧された二酸化炭素は、馬の全身の経皮表面に付着された吸収材に効率よく、多量に溶融する。二酸化炭素が多量に溶融した吸収材が体内に吸収されることで、より多くの二酸化炭素を体内に吸収させることができる。また、経皮表面に付着された吸収材は供給空間内で加圧された二酸化炭素によって経皮表面に押し付けられる。従って、この押し付ける力が吸収材と経皮表面とを密着させるので、さらに経皮表面から二酸化炭素を吸収させる効率を向上させることができる。
【００６３】
なお、上述した第４の実施形態の説明では、馬の全身に吸収材を塗布する場合についてのみ説明したが、この場合に限られない。図１３に示すように、濃度調整装置１１３の噴射口にミスト生成装置９５により生成されたミストを供給するように構成してもよい。このようにミスト生成装置９５を用いることにより、供給装置１１０の吹き出し口から二酸化炭素とミストとを混合させて供給空間に供給させることができるため、馬の全身に吸収材を塗布する必要がない。なお、ミスト生成装置９５では、ＤＤＳ効果のあるナノ化薬剤等を混合させてもよい。
【００６４】
次に、上述した血行促進装置４を図１５に示す血行促進施設５に適用する場合について説明する。血行促進施設５では、吸収材を供給する工程、二酸化炭素を供給する工程及び吸収材を乾燥させる工程が段階的に隔てられた部屋により行われる。
まず、吸収材を供給する工程の部屋では、馬の頭上から吸収材をシャワー状に吹き付ける吹付装置３０１が設けられている。吹付装置３０１によって噴射された吸収材は、馬の経皮表面の全体に付着される。なお、吹付装置３０１は、シャワー状に吹き付ける場合に限られず、例えば、吸収材をミスト状、好ましくはナノミスト状にして供給してもよく、吸収材をスチーム状にして供給してもよい。
【００６５】
次に、二酸化炭素を供給する工程の部屋では、上述した包囲体１００及び供給装置１１０を有する血行促進装置４が設置されている。血行促進装置４は、上述したものと同様であるので、説明を省略する。次に、吸収材を乾燥させる工程の部屋では、馬の全身に付着された吸収材を乾燥させる乾燥装置３０２が設けられている。乾燥装置３０２は、例えば全身に温風を送風するように構成されている。なお、吸収材を乾燥させる工程の部屋では、馬に付着された吸収材を単に拭き取るようにしてもよい。
このように、血行促進施設５では、多数の馬を効率よく体内に二酸化炭素を吸収させることができる。
【００６６】
また、上述した第４の実施形態の説明では、血行促進装置４を所定の施設に設置して使用する場合についてのみ説明したが、この場合に限られることはない。図１６では、血行促進装置４を運搬車内に設置する場合について説明する。図１６（ａ）は、運搬車の斜視図である。図１６（ｂ）は、運搬車の内部構成を示す図である。
図１６（ａ）及び図１６（ｂ）に示すように運搬車１３０は、上述した血行促進装置４を格納する密閉構造の格納庫１３５が設けられた車体本体１３１を有している。格納庫１３５には、包囲体１００と供給装置１１０とが格納されている。
【００６７】
車体本体１３１の後方扉１３２は、上下方向に開閉することができるように構成されている。後方扉１３２を開放することで、馬を車体本体１３１内に導入するためのスロープが形成される。また、車体本体１３１には、外気を車体本体１３１内に取り入れるファン１３３と、車体本体１３１内の気体を外部に排出するファン１３４とが設けられている。すなわち、二酸化炭素を包囲体１００の供給空間に供給した後、包囲体１００を馬から取り外す場合、車体本体１３１内には二酸化炭素が充満してしまう。このとき、ファン１３３とファン１３４とを駆動させることにより、車体本体１３１内に充満された二酸化炭素を外部に排出することができる。血行促進装置４を運搬車に適用することで、血行促進装置４を容易に搬送することができる。
【００６８】
このように、第４の実施形態によれば、馬の全身を包囲することができる包囲体を用いて包囲体内を加圧させた状態で二酸化炭素を充填させるので、二酸化炭素は、馬の経皮表面に付着した吸収材に効率よく、多量に溶融する。したがって、二酸化炭素が多量に溶融した吸収材が体内に吸収されることで、より多くの二酸化炭素を体内に吸収させることができる。また、供給装置が供給する二酸化炭素の濃度を調整する濃度調整装置を付加したので、馬の体の部位又は固定差に応じた二酸化炭素の濃度にすることで、個体差に応じた血行促進等効果を引き出すことができる。
【００６９】
（第５の実施形態）
第５の実施形態は、包囲体で馬の経皮表面の全身を密閉状態に包囲した後、包囲体内に二酸化炭素を供給する場合の実施形態であり、包囲体内に供給された二酸化炭素を高圧で加圧することができる。
図１７は、第５の実施形態に係る血行促進装置の構成の一例を示す図である。第５の実施形態に係る血行促進装置６は、包囲体１５０と供給装置１６０とリバースタンク１９０とを含んで構成されている。なお、血行促進装置６は、例えば所定の施設に固定されて設置されている。
【００７０】
包囲体１５０は、包囲函１５１と、包囲材１５２と、接合部１５３と、係止部材１５４と、吸入口１５５と、挿通口１５６とを有している。
包囲函１５１は、馬の周りを取り囲むように前後左右及び上面によって形成されたボックスである。包囲函１５１の一部には、馬の頭部が突出できるように開口部を有している。包囲函１５１の５面は、気体を透過しない素材により形成されている。また、包囲函１５１の５面のうち背面は、馬が包囲函１５１内に入り込めるように、例えば中央から左右に開閉することができる扉（観音式扉）になっている。また、包囲函１５１の５面のうち上面は、馬が包囲函１５１内に入り込めるように、例えば中央から左右に開閉することができる扉になっている（後述する図１９（ａ）参照）。包囲函１５１によって囲まれる空間が、二酸化炭素を供給する供給空間として形成される。包囲函１５１は、供給空間内が高圧に加圧されても耐久できるように構成されている。
【００７１】
包囲材１５２は、馬の首を包囲できる形状で、気体を透過しない材質、例えば合成樹脂等によって形成されている。包囲材１５２は、上述した包囲函１５１の上面と一体的に取り付けられており、包囲函１５１の上面と同様に左右に開閉することができる。また、包囲材１５２と馬の経皮表面と接触する部分には、伸縮性、密着性、柔軟性、耐久性及び密閉性を有する材質で形成された接合部１５３が設けられている。
係止部材１５４は、供給空間に供給された二酸化炭素が接合部１５３と馬の経皮表面との間から漏洩しないように、接合部１５３を係止するものである。
【００７２】
吸入口１５５は、上述した供給空間と挿通する孔を有し、孔を通して二酸化炭素を供給空間に供給することができる。
挿通口１５６は、リバースタンク１９０と挿通する孔を有し、孔を通して供給空間に供給された二酸化炭素をリバースタンク１９０に移送したり、リバースタンク１９０から供給空間に二酸化炭素を移送したりすることができる。
【００７３】
次に、図１７には、包囲体１５０によって形成された供給空間に二酸化炭素を供給する供給装置１６０が示されている。供給装置１６０は、二酸化炭素供給装置１６１と、空気供給装置１６２と、濃度調整装置１６３とを含んで構成されている。二酸化炭素供給装置１６１は、二酸化炭素が高圧縮されて収容された容器体と、減圧器と、目盛部と、コック部とが設けられていて、減圧した気体状の二酸化炭素を放出する。
空気供給装置１６２は、空気が高圧縮されて収容された容器体と、減圧器と、目盛部と、コック部とが設けられていて、減圧した空気を放出する。
【００７４】
濃度調整装置１６３は、包囲体１５０に供給する二酸化炭素の濃度を調整するものである。濃度調整装置１６３により二酸化炭素の濃度を調整するのは、馬の体の部位又は馬の固体差によって、二酸化炭素を吸収する速度や量が異なってくるためであり、馬の体の部位又は個体差に応じた二酸化炭素の濃度にすることにより、個体差に応じた血圧促進等効果を引き出すことができる。濃度調整装置１６３には、パソコンが接続されている。
【００７５】
図１８は、濃度調整装置の構成の一例を示す図である。
図１８に示すように、濃度調整装置１６３には、二酸化炭素供給装置１６１から二酸化炭素が供給されると共に、空気供給装置１６２から空気が供給される。濃度調整装置１６３は、二酸化炭素が供給される経路１６４及び空気が供給される経路１７４と、圧力調整部１６５、１７５と、チェックバルブ１６６、１７６と、残圧センサ１６７、１７７と、流量調整部１６８、１７８と、電磁弁１６９、１７９と、混合器１７０と、吐出電磁弁１７１とを有している。さらに、濃度調整装置１６３には、残圧警報装置１７２と、制御回路１８０と、タイマー１８１と、記憶装置１８２と、電源回路１８３と、通信装置１８４と、操作パネル１８５とを有している。
【００７６】
圧力調整部１６５、１７５では、使用者が二酸化炭素供給装置１６１及び空気供給装置１６２から流入された二酸化炭素及び空気の圧力が等しくなるように調整しておく。次に、チェックバルブ１６６、１７６では、流入された二酸化炭素及び空気の逆流を防止する。次に、残圧センサ１６７、１７７では、流入された二酸化炭素及び空気の圧力を計測する。残圧センサ１６７、１７７が計測した圧力値は、残圧警報装置１７２に送信される。残圧警報装置１７２は、送信されてきた圧力値が所定の圧力値以下になった場合、二酸化炭素供給装置１６１及び空気供給装置１６２に二酸化炭素又空気の残量がないものとして警報を行う。次に、流量調整部１６８、１７８は、二酸化炭素及び空気の流量を変更して二酸化炭素の濃度を調整する。また、電磁弁１６９、１７９も同様に、二酸化炭素及び空気の流量を変更して二酸化炭素の濃度を調整する。なお、本実施形態の濃度調整は、専ら電磁弁１６９、１７９にて行い、流量調整部１６８、１７８では、補足的に調整する。本実施形態の濃度調整装置１６３は、二酸化炭素の濃度を略１０００ｐｐｍ〜略９５パーセントに調整できるように構成されている。
【００７７】
次に、混合器１７０では、電磁弁１６９、１７９において流量が変更された二酸化炭素及び空気を混合して、濃度が調整された二酸化炭素を生成する。最後に、吐出電磁弁１７１において、弁を開放することで濃度調整された二酸化炭素が吐出する。
ここで、電磁弁１６９、１７９及び吐出電磁弁１７１は、制御回路１８０に接続されている。すなわち、制御回路１８０が電磁弁１６９、１７９を制御することで、二酸化炭素及び空気の流量を変更して、二酸化炭素の濃度を調整する。また、制御回路１８０が吐出電磁弁１７１の開閉を制御することで、濃度が調整された二酸化炭素を吐出したり、吐出の停止をしたりすることができる。
【００７８】
また、制御回路１８０には、タイマー１８１及び操作パネル１８５が接続されている。したがって、使用者が操作パネル１８５を用いて、二酸化炭素を継続して吐出させる時間や、二酸化炭素の濃度を設定することで、制御回路１８０は、設定された時間及び濃度に基づいて、電磁弁１６９、１７９を制御して、設定された濃度になるように制御すると共に、タイマー１８１を用いて、設定した時間が経過したら吐出電磁弁１７１を閉鎖して二酸化炭素の吐出を停止することができる。
【００７９】
さらに、制御回路１８０には記憶装置１８２が接続されている。この記憶装置１８２には、制御回路１８０に実行させるプログラムを複数、記憶させることができる。ここで、プログラムとは、例えば、最初の数分間を二酸化炭素の濃度を薄くして吐出させ、その後、数分間を徐々に二酸化炭素の濃度を濃くして吐出させ、一定時間経過した後、二酸化炭素の吐出を停止する等のメニューを制御回路１８０に実行させるためのものである。上述したように、体の部位によって又は固体差によって、二酸化炭素を吸収する速度や量が異なってくるため、二酸化炭素を吸収させたい体の部位及び個体差に応じたプログラムを記憶装置１８２に記憶しておき、使用者が操作パネル１８５を操作して、記憶装置１８２に記憶された複数のプログラムから該当するプログラムを選択して、制御回路１８０が実行することにより、体の部位又は固体差に応じた血行促進等効果を引き出すことができる。
また、上述した体の部位又は個体差に応じたプログラムは記憶装置１８２に記憶しておく場合に限らず、通信装置１８４に接続されたパソコンから濃度調整装置１６３に送信するように構成してもよい。また、通信装置１８４に接続されたパソコンから直接、濃度調整装置１６３を制御できるように構成してもよい。
【００８０】
なお、濃度調整装置１６３において、圧力調整部１６５、１７５に電磁弁を用いて、制御回路１８０が圧力調整の制御も行うことができるように構成してもよい。例えば、二酸化炭素及び空気の圧力調整を変化させるようなプログラムを作成することで、経皮表面に対して加わる二酸化炭素の圧力を変更できるため、経皮表面に対するマッサージ効果を期待することができる。さらに、制御回路１８０が圧力調整を行うことにより二酸化炭素及び空気の温度の制御も行うように構成してもよい。例えば、二酸化炭素及び空気の圧力調整を変化させるようなプログラムを作成することで、濃度調整装置１６３から吐出される濃度調整された二酸化炭素の温度を変更できるため、経皮表面をクールダウン等させるような効果を期待することができる。
【００８１】
次に、図１７に示すリバースタンク１９０には、コンプレッサ１９１が接続されている。コンプレッサ１９１は、供給空間に供給した二酸化炭素をリバースタンク１９０に移送する。リバースタンク１９０は、二酸化炭素を一時的に保管する。コンプレッサ１９１は、リバースタンク１９０に戻した二酸化炭素を再利用するために、供給空間に移送する。なお、リバースタンク１９０には、二酸化炭素の濃度計測装置が設けられており、二酸化炭素が所定の濃度を満たしているかを計測している。
【００８２】
次に、包囲体に二酸化炭素を供給する供給方法について説明する。なお、包囲体１５０を馬の経皮表面の一部に包囲する方法は第４の実施形態と同様であり、その説明を省略する。使用者は、包囲体１５０により囲まれる供給空間を形成した後、供給装置１６０の吹き出し口を包囲体１５０の吸入口１５５に接続した状態で、所定のプログラムに基づいて所定の二酸化炭素の濃度になるように濃度調整装置１１３を実行させる。すると供給装置１６０からは、所定の濃度に調整された二酸化炭素が、供給空間に満遍なく充填される。
【００８３】
プログラムに基づいて継続して二酸化炭素を放出することにより、供給空間に供給された二酸化炭素は、継続して供給された二酸化炭素により圧縮される。なお、包囲体１５０は、高圧に対する耐久性を有するように構成されているため、高圧で包囲体１５０内を加圧しても包囲体１５０は破損することがなく、また供給空間内の二酸化炭素は漏洩することはない。加圧された二酸化炭素は、馬の全身の経皮表面に付着された吸収材に効率よく、多量に溶融する。二酸化炭素が多量に溶融した吸収材が体内に吸収されることで、より多くの二酸化炭素を体内に吸収させることができる。また、経皮表面に付着された吸収材は供給空間内で加圧された二酸化炭素によって経皮表面に押し付けられる。従って、この押し付ける力が吸収材と経皮表面とを密着させるので、さらに、経皮表面から二酸化炭素を吸収させる効率を向上させることができる。
【００８４】
次に、所定時間が経過して、包囲体１５０を取り外したとき、使用者はコンプレッサ１９１を用いて、供給空間に供給された二酸化炭素をリバースタンク１９０に移送させる。したがって、包囲体１５０を開放したときに、二酸化炭素を外部に排出することがない。次回、供給空間に二酸化炭素を供給するとき、使用者は、コンプレッサ１９１を用いて、リバースタンクに収容されている二酸化炭素を供給空間に戻すことで、二酸化炭素を再利用することができる。このとき、リバースタンク１９０に設けられた濃度測定装置によりリバースタンク１９０の濃度を測定しておくことにより、必要に応じて供給装置１６０から所定の濃度に調整した二酸化炭素を供給空間に補給することにより、供給空間内を所望する二酸化炭素にすることができる。
【００８５】
なお、上述した第５の実施形態の説明では、馬の全身に吸収材を塗布する場合についてのみ説明したが、この場合に限られない。図１７に示すように、濃度調整装置１６３の噴射口にミスト生成装置９５により生成されたミストを供給するように構成してもよい。このようにミスト生成装置９５を用いることにより、供給装置１６０の吹き出し口から二酸化炭素とミストとを混合させて供給空間に供給させることができるため、馬の全身に吸収材を塗布する作業を省略することができる。なお、ミスト生成装置９５では、ＤＤＳ効果のあるナノ化薬剤等を混合させてもよい。
【００８６】
また、上述した第５の実施形態の説明では、血行促進装置６を所定の施設に設置して使用する場合についてのみ説明したが、この場合に限られることはない。図１９では、血行促進装置６を運搬車内に設置する場合について説明する。図１９（ａ）は、運搬車の斜視図である。図１９（ｂ）は、運搬車の内部構成の一例を示す図である。
図１９（ａ）及び図１９（ｂ）に示すように運搬車２００は、上述した血行促進装置６を格納する密閉構造の格納庫２０７が設けられた車体本体２０１を有している。また、車体本体２０１には、リバースタンク１９０が格納されている。
【００８７】
車体本体２０１の後方扉２０２は、左右方向に開閉することができるように構成されている。包囲体１５０の後方には、馬を車体本体２０１内に導入するためのスロープ２０３が形成されている。また、車体本体２０１には、外気を車体本体２０１内に取り入れるファン２０４と、車体本体２０１内の気体を外部に排出するファン２０５とが設けられている。また、車体本体２０１内には、使用者が濃度調整装置１６３を操作するためのＰＣが設置されたオペレーションルーム２０６が、血行促進装置６を格納した格納庫２０７とは異なる部屋に設けられている。また、車体本体２０１内には、リバースタンク１９０を有している。血行促進装置６を運搬車に適用することで、血行促進装置６を容易に搬送することができる。
【００８８】
このように、第５の実施形態によれば、高圧力に対して耐久性がある包囲体を用いて二酸化炭素を充填させた。したがって、供給空間内を高圧にすることができるため、より吸収材に二酸化炭素を溶融することができる。したがって、吸収材を介して二酸化炭素を体内に吸収させる効率を向上させることができる。また、供給装置が供給する二酸化炭素の濃度を自動的に調整する濃度調整装置を付加したので、体の部位又は個体差に応じた二酸化炭素の濃度にすることで、個体差に応じた血行促進等効果を引き出すことができる。
【００８９】
（第６の実施形態）
第６の実施形態は、馬の経皮表面に吸収材を吹き付ける吹付装置と馬の部位の少なくとも一部が入り込める隔離空間とを有する実施形態である。
図２０は、第６の実施形態に係る血行促進施設の構成の一例を示す図である。図２０（ａ）は、血行促進施設の全体構成の一例を示す図である。図２０（ｂ）は、隔離空間の斜視図である。第６の実施形態に係る血行促進施設７は、吹付装置３１１と、隔離空間３１２とを含んで構成されている。
【００９０】
吹付装置３１１は、馬の頭上から吸収材をシャワー状に吹き付ける。
隔離空間３１２は、床面に凹状に形成された空間である。隔離空間３１２の長手方向の両端には、馬が隔離空間３１２に容易に進入したり、隔離空間３１２から容易に出られるように、スロープ３１３が形成されている。また、隔離空間３１２は、馬が隔離空間３１２に進入したときに少なくとも馬の頭部が隔離空間３１２の上端から突出できる程の深さに形成されている。この隔離空間３１２には、二酸化炭素供給装置により気体状の二酸化炭素を充填することで、二酸化炭素のプールが形成される。なお、二酸化炭素は、空気と比較して比重が重いために隔離空間３１２から上昇して浮遊せず、隔離空間３１２に留まった状態となる。また、二酸化炭素と同じ比重の気体を着色して混合させておくことで、隔離空間３１２に充填された二酸化炭素の高さを容易に識別することができる。
【００９１】
次に、馬の体内に二酸化炭素を吸収させる方法について説明する。
まず、使用者は、吹付装置３１１により馬の全身の経皮表面に吸収材を付着させる。
次に、使用者は、全身の経皮表面に吸収材を付着させた馬を二酸化炭素が充満された隔離空間３１２に進入させる。使用者は、所定時間の間、隔離空間３１２に馬を待機させる。このとき、隔離空間３１２内では、隔離空間３１２に充満した二酸化炭素が馬の経皮表面に付着した吸収材に溶融するために、吸収材を介して二酸化炭素を体内に吸収させることができる。所定時間経過した後、使用者は隔離空間３１２から馬を出す。ここで、隔離空間３１２に馬を待機させる時間は、体内に二酸化炭素を吸収させたい量によって異なる。例えば、多量の二酸化炭素を吸収させたい場合は長時間待機させ、少量の二酸化炭素を吸収させたい場合は短時間待機させる。
【００９２】
なお、上述した第６の実施形態では二酸化炭素を隔離空間に供給する場合についてのみ説明したが、この場合に限られるものではない。例えば、隔離空間内で二酸化炭素を生成してもよい。例えば、図２１（ａ）に示すように、隔離空間３１２の底部内にドライアイス３１６を格納する。ドライアイス３１６を常温常圧下にしておくことで、昇華して気体状の二酸化炭素が生成される。したがって、隔離空間３１２を二酸化炭素で充填させることができる。また、ドライアイスが格納された底部内に常温又は高温の水を付加して二酸化炭素を生成してもよい。このとき、隔離空間３１２内は、昇華された二酸化炭素と生成された白煙とが隔離空間３１２内にスモーク状に充填される。
【００９３】
また、隔離空間３１２は、馬の脚部の長さに合うような深さであってもよい。図２１（ｂ）に示すように、隔離空間３１４の深さは、馬の脚部が隠れる程の深さである。隔離空間３１４の底部内に格納されたドライアイス３１６に常温又は高温の水を付加して昇華されることにより隔離空間３１４に昇華された二酸化炭素と生成された白煙とがスモーク状に充填される。馬が隔離空間３１４に待機することで、吸収材を介して二酸化炭素を体内に吸収させることができる。また、隔離空間３１４内は冷却されていることから、クールダウンの効果がある。
【００９４】
また、隔離空間を連続的に形成してもよい。図２２に示すように、サークル状の隔離空間３１５を形成する。サークル状の隔離空間３１５には、上述したように気体状の二酸化炭素を充填する。馬に吸収材を付着させ、隔離空間３１５内を移動させることで、移動中に吸収材を介して二酸化炭素を体内に吸収させることができる。したがって、複数の馬を連続して隔離空間３１５内に、進入させることができるので、二酸化炭素を吸収させる効率を向上させることができる。
【００９５】
このように、第６の実施形態によれば、二酸化炭素に供給された隔離空間内に馬を進入させるのみで、二酸化炭素を体内に吸収させることができるので、二酸化炭素を効率が向上する。
【００９６】
上述したように、本発明によれば、二酸化炭素を体内に吸収させることができるので、体内の細胞が活性化され、血行促進等効果をもたらすことができる。このような血行促進等の効果により、新陳代謝を促すと共に治癒効果を高め、疲労回復やケガの予防、ケガの治療の促進を図ることができる。
【００９７】
なお、第４の実施形態及び第５の実施形態では、二酸化炭素と混合する気体を空気にする場合について説明したが、この場合に限られず、例えば、窒素ガスやヘリウムガス等であってもよい。また、空気を供給する空気供給装置は、コンプレッサであってもよい。
また、第４の実施形態及び第５の実施形態に係る濃度調整装置は、上述した第１〜第３の実施形態及び第６の実施形態に適用することができる。
また、二酸化炭素を生成するときに、重曹とクエン酸とを化学反応させて二酸化炭素を発生させるようにしてもよい。例えば、第３の実施形態の包囲体に化学反応で発生された二酸化炭素で充填し、さらに継続して化学反応させることにより、包囲体内に充填した二酸化炭素は加圧される。
また、上述した第１〜第６の実施形態では、馬の体内に二酸化炭素を吸収させる場合についてのみ説明したが、馬以外の他の動物であってもよい。
【図面の簡単な説明】
【００９８】
【図１】第１の実施形態に係る血行促進装置の構成の一例を示す図である。
【図２】馬の経皮表面にムースを塗布する方法について説明するための図である。
【図３】ムースに含まれる気泡状の二酸化炭素の作用について説明するための図である。
【図４】馬の全身にムースを塗布した状態を示す図である。
【図５】第２の実施形態に係る血行促進装置の構成の一例を示す図である。
【図６】第２の実施形態に用いられる他の形態の包囲体を示す図である。
【図７】第２の実施形態に用いられる他の形態の包囲体の充填部を示す図である。
【図８】第３の実施形態に係る血行促進装置の構成の一例を示す図である。
【図９】供給空間に二酸化炭素を供給する方法について説明するための図である。
【図１０】第３の実施形態に用いられる他の形態の包囲体を示す図である。
【図１１】第３の実施形態に用いられる他の形態の包囲体を示す図である。
【図１２】第３の実施形態に係る他の血行促進装置の構成の一例を示す図である。
【図１３】第４の実施形態に係る血行促進装置の構成の一例を示す図である。
【図１４】濃度調整装置の構成の一例を示す図である。
【図１５】血行促進装置を血行促進施設に適用した場合の構成の一例を示す図である。
【図１６】血行促進装置を運搬車内に設置する場合の構成の一例を示す図である。
【図１７】第５の実施形態に係る血行促進装置の構成の一例を示す図である。
【図１８】濃度調整装置の構成の一例を示す図である。
【図１９】血行促進装置を運搬車内に設置する場合の構成の一例を示す図である。
【図２０】第６の実施形態に係る血行促進施設の構成の一例を示す図である。
【図２１】他の形態の血行促進施設を示す図である。
【図２２】他の形態の血行促進施設を示す図である。
【符号の説明】
【００９９】
２        血行促進装置
３        血行促進装置
４        血行促進装置
５        血行促進施設
６        血行促進装置
７        血行促進施設
１０      ムース生成装置
２０      ムース
３０      包囲体
３３      充填部
４１      充填部
５０      包囲体
５２      接合部
６０      供給装置
６４      吸収材
６５      吸収材
９０      包囲体
９５      ミスト生成装置
１００    包囲体
１１０    供給装置
１１３    濃度調整装置
３０１    吹付装置
１３５    格納庫
１５０    包囲体
１６０    供給装置
１６３    濃度調整装置
２０７    格納庫
３１２    隔離空間
３１２    隔離空間
３１４    隔離空間
３１５    隔離空間
【図１】
2009268396.tif 000003
【図２】
2009268396.tif 000004
【図３】
2009268396.tif 000005
【図４】
2009268396.tif 000006
【図５】
2009268396.tif 000007
【図６】
2009268396.tif 000008
【図７】
2009268396.tif 000009
【図８】
2009268396.tif 000010
【図９】
2009268396.tif 000011
【図１０】
2009268396.tif 000012
【図１１】
2009268396.tif 000013
【図１２】
2009268396.tif 000014
【図１３】
2009268396.tif 000015
【図１４】
2009268396.tif 000016
【図１５】
2009268396.tif 000017
【図１６】
2009268396.tif 000018
【図１７】
2009268396.tif 000019
【図１８】
2009268396.tif 000020
【図１９】
2009268396.tif 000021
【図２０】
2009268396.tif 000022
【図２１】
2009268396.tif 000023
【図２２】
2009268396.tif 000024